(57)【要約】      （修正有）【課題】収納ラックの組立てと配列延伸が便利になり、組立て後の外観が綺麗に揃う、拡張可能な収納ラック構造を提供する。【解決手段】フレーム４からなるとともに、フレーム４側縁には、固定カバー５と係止部品６の内のいずれか一つ、或はその両方が設けられる。このうち、固定カバー５外縁には、対称に配列した係止溝５１が設けられる。係止溝５１は、下向きに漸縮する傾斜状を呈する。係止部品６は、円弧状を呈して設けられるとともに、下向きに漸縮する傾斜状を呈する。組立てる時は、まず複数のフレーム４の固定カバー５をそれぞれ固定棒に被せた後、もう一つのフレーム４の係止部品６を固定カバー５の係止溝５１に嵌め入れることにより、複数のフレーム４を並べる、或は直角に連結する。【選択図】図２
0003197157.tif 000002
【実用新案登録請求の範囲】
【請求項１】
フレームからなる収納ラック構造であって、
前記フレームの角、或は、角及び側縁には、固定カバーと係止部品の内いずれか一つ或はその両方がそれぞれ設けられ、
前記固定カバーの外縁には、対称に配列した係止溝が設けられ、
前記係止部品は、円弧状を呈して設けられ、
以上の構造により、
組立てる時に、複数の前記フレームの前記固定カバーをそれぞれ固定棒に被せた後、もう一つのフレームの係止部品を前記固定カバーの係止溝に嵌め入れることにより、複数のフレームを並べる、或は直角に連結することができ、それにより、
収納ラックの組立てと配列延伸が便利になり、組立て後の外観が綺麗に揃うことを特徴とする、拡張可能な収納ラック構造。
【請求項２】
前記固定カバー外縁の係止溝は、下向きに漸縮する傾斜状を呈し、
前記係止部品は、円弧状且つ下向きに漸縮する傾斜状を呈して設けられ、
前記係止部品は、前記係止溝に嵌め入れられた後、下方の漸縮部によって互いにしっかりと係止されることを特徴とする、請求項１に記載の拡張可能な収納ラック構造。
【請求項３】
前記固定カバー外縁に設けられた係止溝は、前記固定カバーにコの字型且つ漸縮する傾斜状を呈して型抜かれた開口と、型抜かれた部分片が前記部分片と前記固定カバーの接続部から外側へ折れ曲がった形状のＬ字型の突起片とからなり、
更に前記係止溝は、Ｌ字型の二つの前記突起片が互いに向かい合って設けられることにより形成されることを特徴とする、請求項１に記載の拡張可能な収納ラック構造。
【請求項４】
前記係止部品の上縁両側には、それぞれ水平且つ外向きのフック部が設けられ、
前記フック部は、前記固定カバーの突起片上縁にぴったりと係止されることを特徴とする、請求項１に記載の拡張可能な収納ラック構造。
【請求項５】
前記固定カバーは、それぞれ前記フレームの角或は側縁に設けられることを特徴とする、請求項１に記載の拡張可能な収納ラック構造。
【請求項６】
前記係止部品は、それぞれ前記フレームの角或は側縁に設けられることを特徴とする、請求項１に記載の拡張可能な収納ラック構造。
【請求項７】
前記固定カバー及び前記係止部品は、それぞれ前記フレームにおける二つの角或は二つの側縁に設けられることを特徴とする、請求項１に記載の拡張可能な収納ラック構造。
【考案の詳細な説明】
【技術分野】
【０００１】
本考案は、拡張可能な収納ラック構造に関し、特に、簡単な係止方法で、複数のフレームを並べて連結することにより、収納ラックの組立てと配列延伸をより便利にするとともに、組立て後の外観が綺麗に揃う、拡張可能な収納ラック構造に関する。
【背景技術】
【０００２】
一般的な組立て式収納ラックの構造及び組立て方法について、図１を参照する。前記組立て式収納ラックは、固定棒１と、挟持部品２と、フレーム３とからなる。固定棒１上には、適切な間隔で環状の浅溝１１が設けられる。挟持部品２の内縁には、係止リブ２１が設けられる。フレーム３の角には、固定カバー３１が設けられる。組立ての際は、まず挟持部品２の係止リブ２１を固定棒１の浅溝１１に嵌め入れてから、固定カバー３１を上から下へ被せ、固定カバー３１で挟持部品２をしっかり留めることで、固定カバー３１を位置決めする。このように、フレーム３を固定棒１（４本の固定棒１）に固定することで、収納ラックが組立てられる。しかし従来の収納ラックは、組立て時にバランスが取りにくく作業が困難である（一人では作業が難しい）だけでなく、構造上、単一の収納ラックしか組立てることができないため、延伸させる必要がある際は、複数の収納ラックを並べるという方法しかない。この際、互いに係止して固定することができないだけでなく、一つ一つの収納ラックの間における隙間のために外観が不揃いになり、ぶつかった時に位置がずれやすく、理想的とは言えない。
【考案の概要】
【考案が解決しようとする課題】
【０００３】
そこで、本考案は、複数の収納ラックを簡単な係止方法で並べて連結することにより、収納ラックの組立てと配列延伸をより便利にするとともに、組立て後の外観が綺麗に揃う、拡張可能な収納ラック構造を提供することを目的とする。
【課題を解決するための手段】
【０００４】
上述の目的を達成するため、本考案の拡張可能な収納ラック構造は、フレームからなるとともに、前記フレーム側縁には、固定カバーと係止部品の内いずれか一つ或はその両方が設けられる。このうち、前記固定カバー外縁には、対称に配列した係止溝が設けられる。前記係止溝は、下向きに漸縮する傾斜状を呈する。前記係止部品は、円弧状を呈して設けられるとともに、下向きに漸縮する傾斜状を呈する。組立てる時は、まず複数のフレームの固定カバーをそれぞれ固定棒に被せた後、もう一つのフレームの係止部品を固定カバーの係止溝に嵌め入れることにより、複数のフレームを並べる、或は直角に連結する。これにより、収納ラックの組立てと配列延伸がより便利になり、組立て後の外観が綺麗に揃う。
【０００５】
前述した拡張可能な収納ラック構造において、固定カバー外縁に設けられた係止溝は、固定カバーにコの字型且つ漸縮する傾斜状を呈して型抜かれた開口と、型抜かれた部分片が部分片と固定カバーの接続部から外側へ折れ曲がった形状のＬ字型の突起片とからなり、更に前記係止溝は、二つのＬ字型の突起片が互いに向かい合って設けられることにより形成される。
【０００６】
前述した拡張可能な収納ラック構造において、係止部品の上縁両側には、それぞれ水平且つ外向きのフック部が設けられる。フック部は、固定カバーの突起片上縁にぴったりと係止される。
【図面の簡単な説明】
【０００７】
【図１】従来の収納ラックの斜視分解図である。
【図２】本考案の斜視図である。
【図３】本考案の俯瞰図１である。
【図４】本考案の俯瞰図２である。
【図５】本考案を組立てた状態を示した概略図である。
【図６】本考案の固定カバーと係止部品を結合した状態を示した概略図である。
【図７】本考案の収納ラックの斜視図である。
【図８】本考案の延伸排列の状態を示した概略図１である。
【図９】本考案の延伸排列の状態を示した概略図２である。
【考案を実施するための形態】
【０００８】
（実施例１）
図２、図３、図４を参照する。図は、本考案の斜視分解図、及び俯瞰図である。本考案は、フレーム４からなるとともに、フレーム４の角、或は、角及び側縁には、固定カバー５と係止部品６の内いずれか一つ或はその両方がそれぞれ設けられる。このうち、固定カバー５は、中空の円筒状をなすとともに、外縁には少なくとも係止溝５１が設けられる。実施例１において、係止溝５１は、固定カバー５にコの字型且つ漸縮する傾斜状を呈して型抜かれた開口５２と、型抜かれた部分片が部分片と固定カバー５の接続部から外側へ折れ曲がった形状のＬ字型の突起片５３とからなり、更に二つのＬ字型の突起片５３が互いに向かい合って設けられることにより、係止溝５１は下向きに漸縮する傾斜状を呈する。係止部品６は、固定カバー５の円弧状に対応するように設けられるとともに、下へ漸縮する傾斜状を呈し、且つ係止部品６の上縁両側には、それぞれ水平且つ外向きのフック部６１が設けられる。
【０００９】
本考案の実施例１において、固定カバー５は、それぞれフレーム４の四つ角に設けられる。また同様に、係止部品６が、フレーム４の四つ角に設けられることも可能である。或は、フレーム４における二つの角に固定カバー５が設けられ、他の二つの角に係止部品６が設けられる。
【００１０】
上述した部品を組合せる時、まず複数のフレーム４の固定カバー５をそれぞれ従来の収納ラックの固定棒に被せる。次に、一端に位置するフレーム４の係止部品６を他端に位置するフレーム４の固定カバー５における係止溝５１に嵌め入れるとともに、フック部６１を突起片５３の上縁に係止することにより、係止部品６を他端に位置するフレーム４の固定カバー５に嵌め入れる。このように、係止部品６と固定カバー５を係止して固定することにより、複数のフレーム４を並べる、或は直角に連結することができる。以上により、収納ラックの組立てがより便利になるとともに（バランスが取りやすいため、一人で作業可能である）、複数の収納ラックを並べて延伸するのが容易になり、且つ延伸した後の外観が綺麗に揃う。
【００１１】
図５、図６を合わせて参照する。図は、本考案の組合せ、及び固定カバーと係止部品を結合した状態を示した概略図である。本考案を組立てる時、まず従来の収納ラックの組立て方法のように、挟持部品２の係止リブ２１を固定棒１の浅溝１１に嵌め入れる（図１参照）。次に、フレーム４に設けられた固定カバー５を上から下へ被せるとともに、固定カバー５によって挟持部品２をしっかり留めて、固定カバー５を位置決めする。また、一端にあるもう一つのフレーム４の係止部品６を固定カバー５の係止溝５１に嵌め入れる。この時、係止溝５１は下向きに漸縮する傾斜状を呈しており、係止部品６も下向きに漸縮する傾斜状をなしているため、係止部品６を嵌め入れた後、下方の漸縮部によって互いにしっかりと係止される（上向きにスライドさせないと取り外せず、更に下向きにスライド移動することはない）。加えて、フック部６１を突起片５３の上縁に係止することにより、複数のフレーム４を並べて連結することができるため、収納ラックの組立てと配列延伸がより便利になり、延伸した後の外観が綺麗に揃う。
【００１２】
図７（本考案の収納ラックの斜視図）、及び図２を合わせて参照する。本考案において、一つの収納ラックＡを組立てた後、延伸させてより長い収納ラックにする必要がある時、使用者は、もう一つのフレーム４と固定棒１を組合せた後、フレーム４に設けられた係止部品６を収納ラックＡの固定カバー５における係止溝５１に嵌め入れればよい。これにより、収納ラックＡともう一つの収納ラックＡを互いに連結して、二つの収納ラックＡを配列させることができる。また、以上の組合せ方法によって、複数の収納ラックＡを無限に延伸させることができる。更に、配列した収納ラックＡ同士が隙間なく揃っており、それぞれの収納ラックＡの間がしっかりと固定されているため、多少の衝撃で位置がずれて外観に影響を与えるという心配はない。
【００１３】
図８（本考案の延伸排列の状態を示した概略図１）、及び図２を合わせて参照する。本考案を組立てる時、一つ一つのフレーム４に設けられた係止部品６を、それぞれ次に配列されたフレーム４における固定カバー５の係止溝５１に嵌め入れる（このうち、一つのフレーム４は、四つ角にそれぞれ固定カバー５が設けられ、その他のフレーム４は、二つの角に固定カバー５が設けられるとともに残りの二つの角に係止部品６が設けられる）。以上のように、簡単な組立て作業により、複数の収納ラックＡを互いに連結して、無限に延伸させることができる。
【００１４】
（実施例２）
図９（本考案の延伸排列の状態を示した概略図２）、及び図２を合わせて参照する。本考案は、実施例１（図８参照）のように複数の収納ラックを直線的に連結して延伸させる以外の配列も可能である。実施例２には、もう一つの形態のフレーム４Ａが設けられるとともに、フレーム４Ａの四つ角及び側辺には、それぞれ固定カバー５及び係止部品６が設けられる。上述と同様に、一つ一つのフレーム４に設けられた係止部品６を、それぞれ次に配列されたフレーム４における固定カバー５の係止溝５１に嵌め入れる。以上により、フレーム４Ａによって、複数の収納ラックＡを直角に連結してＬ字型に延伸させることができる。尚、フレーム４Ａは、一側が斜面をなすように設けられることにより、収納ラックＡ上に置かれた物品を取り出しやすくなる。
【符号の説明】
【００１５】
（従来技術）
１            固定棒
１１   浅溝
２            挟持部品
２１   係止リブ
３            フレーム
３１   固定カバー
（本考案）
４            フレーム
４Ａ   フレーム
５            固定カバー
５１   係止溝
５２   開口
５３   突起片
６            係止部品
６１   フック部
Ａ            収納ラック
【図１】
0003197157.tif 000003
【図２】
0003197157.tif 000004
【図３】
0003197157.tif 000005
【図４】
0003197157.tif 000006
【図５】
0003197157.tif 000007
【図６】
0003197157.tif 000008
【図７】
0003197157.tif 000009
【図８】
0003197157.tif 000010
【図９】
0003197157.tif 000011